【手続補正書】
【提出日】平成20年4月1日(2008.4.1)
【手続補正１】
【補正対象書類名】明細書
【補正対象項目名】特許請求の範囲
【補正方法】変更
【補正の内容】
【特許請求の範囲】
【請求項１】  ネットワーク対応ユーザー機器上のユーザーに対しコンテンツへの安全なライセンス供与を行なうシステムであって、
前記ネットワーク対応ユーザー機器と通信可能に接続されていて、選択され暗号化されたコンテンツを前記ネットワーク対応ユーザー機器へ転送すべくプログラムされている少なくとも１個のサーバーネットワーク機器と、
前記選択され暗号化されたコンテンツに関連付けられた暗号化されたライセンスを生成すべくプログラムされているライセンス生成器とを含み、
前記暗号化されたライセンスは、
前記ネットワーク対応ユーザー機器を制御するための条件を規定するアクセス情報と、
前記アクセス情報条件により規定された条件が満たされた場合には、前記ネットワーク対応ユーザー機器が前記選択および暗号化されたコンテンツのユーザー知覚可能な形式を生成できるようにし、前記アクセス情報により前記規定された条件が満たされなかった場合には、前記選択および暗号化されたコンテンツのユーザー知覚可能な形式の生成を禁止する暗号鍵と、
前記暗号化されたライセンスを復号化して前記暗号化されたライセンス中の前記アクセス情報と前記暗号鍵とを、前記ネットワーク対応ユーザー機器にプログラムされたメディアプレーヤーおよびセキュリティ技術によってアクセスできるようにするルート鍵とを含み、前記メディアプレーヤーおよびセキュリティ技術は、前記ネットワーク対応ユーザー機器の特定のメディアプレーヤーを制御して前記選択および暗号化されたコンテンツのユーザー知覚可能な形式を生成する、システム。
【請求項２】  前記少なくとも１個のサーバーネットワーク機器はさらに、ネットワーク上の第一のノードにおいて、ネットワーク上の第二のノードにあるネットワーク対応ユーザー機器からコンテンツの要求を受信すべくプログラムされていて、
選択されたコンテンツの転送は、前記第二のノードにおける前記ネットワーク対応ユーザー機器からの前記要求の受信に応答して前記要求されたコンテンツを転送することを含む、請求項１に記載のシステム。
【請求項３】  前記コンテンツが暗号化されている、請求項１に記載のシステム。
【請求項４】  前記少なくとも１個のサーバーネットワーク機器はさらに、前記ネットワーク上の第一のノードにおいて、前記ネットワーク上の第二のノードにあるネットワーク対応ユーザー機器からライセンスの要求を受信すべくプログラムされていて、
前記少なくとも１個のサーバーネットワーク機器はさらに、ネットワーク上の第二のノードにおけるネットワーク対応ユーザー機器へ前記要求されたライセンスを転送すべくプログラムされている、請求項１に記載のシステム。
【請求項５】  前記ライセンスはデータオブジェクトである、請求項１に記載のシステム。
【請求項６】  前記データオブジェクトは複数のデータフィールドを含み、前記複数のデータフィールドの少なくとも一部が前記アクセス情報を含んでいる、請求項５に記載のシステム。
【請求項７】  前記アクセス情報は、少なくとも１個のコンテンツ・レンタルモデル、前記ライセンスの有効期限、ネットワーク対応ユーザー機器識別情報、メディアプレーヤー識別情報、特定のコンテンツを識別するＧＵＩＤ、および暗号化コンテンツを復号する暗号化鍵を含む、請求項１に記載のシステム。
【請求項８】  前記コンテンツ・レンタルモデルは少なくとも１個の指定された期間および指定された再生回数を規定する、請求項７に記載のシステム。
【請求項９】  前記コンテンツ・レンタルモデルは任意のネットワーク対応ユーザー機器上で無制限の再生回数を規定する、請求項７に記載のシステム。
【請求項１０】  前記コンテンツ・レンタルモデルは透かし模様を含み、前記透かし模様はユーザーに対し、動画の現在位置から規定された時間幅しか巻き戻せないことを示す、請求項７に記載のシステム。
【請求項１１】  少なくとも１個のアプリケーションサーバーをさらに含み、前記少なくとも１個のアプリケーションサーバーは、前記少なくとも１個のサーバーネットワーク機器および前記ライセンス生成器の両方に通信可能に接続されていて、
前記少なくとも１個のアプリケーションサーバーは前記少なくとも１個のサーバーネットワーク機器から前記ライセンスの要求を受信して、前記ライセンスの要求を前記ライセンス生成器に転送すべくプログラムされている、請求項１に記載のシステム。
【請求項１２】  前記少なくとも１個のアプリケーションサーバーはさらに、前記ライセンス生成器にビジネスルールを提供すべくプログラムされていて、前記ビジネスルールは、前記少なくとも１個のアプリケーションサーバーにより前記ライセンス要求がライセンス生成器に転送される以前に前記ライセンス要求に含まれ、前記ビジネスルールは前記ライセンス生成器が生成するライセンスの種類を規定している、請求項１１に記載のシステム。
【請求項１３】  前記少なくとも１個のアプリケーションサーバーはさらに、ユーザーに関する個人情報を収集および保存すべくプログラムされている、請求項１１に記載のシステム。
【請求項１４】  前記少なくとも１個のアプリケーションサーバーはさらに、動的Ｗｅｂページを生成すべくプログラムされている、請求項１１に記載のシステム。
【請求項１５】  前記少なくとも１個のサーバーネットワーク機器と前記少なくとも１個のアプリケーションサーバーとの間に配置されたファイアウォールをさらに含み、前記ファイアウォールは前記少なくとも１個のアプリケーションサーバーへの無許可アクセスを防止する、請求項１１に記載のシステム。
【請求項１６】  前記少なくとも１個のアプリケーションサーバーとライセンス生成器との間に配置されたファイアウォールを含み、前記ファイアウォールは前記ライセンス生成器への無許可アクセスを防止する、請求項１１に記載のシステム。
【請求項１７】  前記選択および暗号化されたライセンスが、前記特定のネットワーク対応ユーザー機器とその中の前記特定のメディアプレーヤーとにおいて前記ユーザー知覚可能な形式の選択および暗号化されたコンテンツを有効にするように設定されるように、前記暗号化されたライセンスはさらに前記特定のネットワーク対応ユーザー機器と前記特定のメディアプレーヤーとに関連付けられる、請求項1に記載のシステム。
【請求項１８】  ネットワーク対応ユーザー機器上のユーザーに対しコンテンツへの安全なライセンス供与を行なう方法であって、
選択および暗号化されたコンテンツを前記ネットワーク対応ユーザー機器へ転送するステップと、
前記選択および暗号化されたコンテンツに関連付けられた暗号化されたライセンスを生成するステップとを含み、
前記暗号化されたライセンスは、
前記ネットワーク対応ユーザー機器を制御するための条件を規定するアクセス情報と、
前記アクセス情報条件により規定された条件が満たされた場合には、前記ネットワーク対応ユーザー機器が前記選択および暗号化されたコンテンツのユーザー知覚可能な形式を生成できるようにし、前記アクセス情報により前記規定された条件が満たされなかった場合には、前記選択および暗号化されたコンテンツのユーザー知覚可能な形式の生成を禁止する暗号鍵と、を含み、
前記暗号化されたライセンスを復号化して前記暗号化されたライセンス中の前記アクセス情報と前記暗号鍵とを、前記ネットワーク対応ユーザー機器にプログラムされたメディアプレーヤーおよびセキュリティ技術によってアクセスできるようにするステップと、
前記ネットワーク対応ユーザー機器の特定のメディアプレーヤーを制御して前記選択および暗号化されたコンテンツの前記ユーザー知覚可能な形式を生成するステップとを含む方法。
【請求項１９】  前記ライセンスはデータオブジェクトである、請求項１８に記載の方法。
【請求項２０】  前記データオブジェクトは複数のデータフィールドを含み、前記複数のデータフィールドの少なくとも一部が前記アクセス情報を含む、請求項１９に記載の方法。
【請求項２１】  前記アクセス情報は、少なくとも１個のコンテンツ・レンタルモデル、前記ライセンスの有効期限、ネットワーク対応ユーザー機器識別情報、メディアプレーヤー識別情報、特定のコンテンツを識別するＧＵＩＤ、および暗号化コンテンツを復号する暗号化鍵を含む、請求項１８に記載の方法。
【請求項２２】  前記暗号化されたライセンスが、前記特定のネットワーク対応ユーザー機器とその中の前記特定のメディアプレーヤーとにおいて前記ユーザー知覚可能な形式の前記選択および暗号化されたコンテンツを有効にするように設定されるように、前記選択および暗号化されたコンテンツに関連付けられた前記暗号化されたライセンスはさらに前記特定のネットワーク対応ユーザー機器と前記特定のメディアプレーヤーとに関連付けられる、請求項１８に記載の方法。
【請求項２３】  ネットワーク対応ユーザー機器上のユーザーに対しコンテンツへの安全なライセンス供与を行なうシステムであって、
前記ネットワーク対応ユーザー機器と通信可能に接続されている、少なくとも１個のサーバーネットワーク機器を含み、
前記少なくとも１個のサーバーネットワーク機器は、選択および暗号化されたコンテンツに関連付けられた暗号化されたライセンスを前記ネットワーク対応ユーザー機器へ転送すべくプログラムされていて、
前記暗号化されたライセンスは、前記選択および暗号化されたコンテンツと暗号鍵とへのアクセス権限を規定し、前記ネットワーク対応ユーザー機器がユーザー知覚可能な形式の前記選択および暗号化されたコンテンツを生成できるようにするアクセス情報を含み、
前記ネットワーク対応ユーザー機器はメディアプレーヤーおよびセキュリティ技術を提供すべくプログラムされていて、
前記メディアプレーヤーおよびセキュリティ技術は、前記選択および暗号化されたコンテンツのライセンス付与が適正に行われているときのみ前記選択および暗号化されたコンテンツの形式を検証し、前記選択および暗号化されたコンテンツのライセンス付与が適正に行われていないときには、前記ネットワーク対応ユーザー機器が前記選択および暗号化されたコンテンツのユーザー知覚可能な形式を生成することを禁止し、
前記暗号化されたライセンスを復号化して前記暗号化されたライセンス中の前記アクセス情報と前記暗号鍵とを、前記メディアプレーヤーおよびセキュリティ技術によってアクセスできるようにするルート鍵を含み、前記メディアプレーヤーおよびセキュリティ技術は、前記ネットワーク対応ユーザー機器の特定のメディアプレーヤーを制御して前記選択および暗号化されたコンテンツの前記ユーザー知覚可能な形式を生成する、システム。
【請求項２４】  前記メディアプレーヤーおよびセキュリティ技術は、前記コンテンツをユーザー知覚可能な形式で表示するためのメディアプレーヤーを含む、請求項２３に記載のシステム。
【請求項２５】  前記メディアプレーヤーおよびセキュリティ技術はさらに、暗号化コンテンツを復号する少なくとも１個の復号コードと、圧縮されたコンテンツを復元するためのコーデックと、前記メディアプレーヤーをユーザーに表示するモニターと、前記メディアプレーヤーと前記モニターの間のハードウェアインターフェースを含む、請求項２4に記載のシステム。
【請求項２６】  前記メディアプレーヤーおよびセキュリティ技術はさらに、前記復号コード、前記コーデック、前記メディアプレーヤー、前記ハードウェアインターフェース、および前記モニターの間で安全なプロセス間通信データストリームを提供するためのデジタル権利管理コードを含む、請求項２５に記載のシステム。
【請求項２７】  前記デジタル権利管理コードは、少なくとも１種のコード撹乱およびアンチデバッギング技術により、改ざんから保護されている、請求項２６に記載のシステム。
【請求項２８】  前記デジタル権利管理コードは、改ざんを検知すべく前記メディアプレーヤー、前記復号コード、前記コーデック、前記ハードウェアインターフェース、および前記モニターの少なくとも１個について整合性チェックを行なうことにより、前記復号コード、前記コーデック、前記メディアプレーヤー、前記ハードウェアインターフェース、および前記モニターの間に安全なプロセス間通信データストリームを提供する、請求項２６に記載のシステム。
【請求項２９】  前記メディアプレーヤー、前記復号コード、前記コーデック、前記ハードウェアインターフェース、および前記モニターの少なくとも１個が整合性チェックに合格しなかった場合、前記デジタル権利管理コードはユーザー知覚可能な形式でコンテンツを表示することを禁止する、請求項２８に記載のシステム。
【請求項３０】  前記メディアプレーヤーおよびセキュリティ技術はさらに、前記デジタル権利管理コードと通信している保護データベースを含み、前記保護データベースは転送されたライセンスを安全に保存する、請求項２６に記載のシステム。
【請求項３１】  前記保護データベースは暗号化方法により保護されている、請求項３０に記載のシステム。
【請求項３２】  前記デジタル権利管理コードはルート鍵を含み、前記ルート鍵は保護データベース内のライセンスを開放する、請求項３１に記載のシステム。
【請求項３３】  前記デジタル権利管理コードは開放済みライセンス内のアクセス情報を調べて、開放済みライセンスにより提供されるコンテンツへのアクセス権を決定する、請求項３１に記載のシステム。
【請求項３４】  前記アクセス情報は、コンテンツ・レンタルモデル、ライセンスの有効期限、ネットワーク対応ユーザー機器識別情報、メディアプレーヤー識別情報、特定のコンテンツを識別するＧＵＩＤ、および前記暗号化コンテンツを復号するための暗号化鍵の少なくとも１個を含む、請求項２４に記載のシステム。
【請求項３５】  前記デジタル権利管理コードは、前記開放済みライセンスに含まれるコンテンツ・レンタルモデルをユーザーに遵守させることにより前記コンテンツが適切にライセンス供与されている場合にのみ前記ネットワーク対応ユーザー機器が前記コンテンツのユーザー知覚可能な形式を生成することを許す、請求項３４に記載のシステム。
【請求項３６】  前記デジタル権利管理コードは、前記開放済みライセンス内の前記ネットワーク対応ユーザー機器識別情報と、前記デジタル権利管理コードが存在する前記ネットワーク対応ユーザー機器とを比較して、前記コンテンツが適切にライセンス供与されている場合にのみ前記ネットワーク対応ユーザー機器が前記コンテンツのユーザー知覚可能な形式を生成することを許す、請求項３４に記載のシステム。
【請求項３７】  前記デジタル権利管理コードは、前記開放済みライセンス内の前記メディアプレーヤー識別情報と、前記ネットワーク対応ユーザー機器上に存在する前記メディアプレーヤーとを比較して、前記コンテンツが適切にライセンス供与されている場合にのみ前記ネットワーク対応ユーザー機器が前記コンテンツのユーザー知覚可能な形式を生成することを許す、請求項３４に記載のシステム。
【請求項３８】  前記デジタル権利管理コードは、前記暗号化コンテンツを復号するために前記開放済みライセンスに含まれる暗号化鍵を前記復号コードに渡す、請求項３４に記載のシステム。
【請求項３９】  前記選択および暗号化されたライセンスが、前記特定のネットワーク対応ユーザー機器とその中の前記特定のメディアプレーヤーとにおいて前記ユーザー知覚可能な形式の前記選択および暗号化されたコンテンツを有効にするように設定されるように、前記暗号化されたライセンスはさらに前記特定のネットワーク対応ユーザー機器と前記特定のメディアプレーヤーとに関連付けられる、請求項２３に記載のシステム。
【請求項４０】  ネットワーク対応ユーザー機器上のユーザーに対しコンテンツへの安全なライセンス供与を行なう方法であって、
選択および暗号化されたコンテンツに関連付けられた暗号化されたライセンスを前記ネットワーク対応ユーザー機器へ転送し、前記暗号化されたライセンスは、前記選択および暗号化されたコンテンツと暗号鍵とへのアクセス権限を規定し、前記ネットワーク対応ユーザー機器が前記ユーザー知覚可能な形式の選択および暗号化されたコンテンツを生成することを可能にするアクセス情報を含み、
前記ネットワーク対応ユーザー機器にメディアプレーヤーおよびセキュリティ技術を提供し、前記メディアプレーヤーおよびセキュリティ技術は、前記アクセス権限を検証して、前記コンテンツのライセンス付与が適正に行なわれている場合にのみ前記ネットワーク対応ユーザー機器が前記コンテンツのユーザー知覚可能な形式を生成することを許可し、前記コンテンツのライセンス付与が適正に行なわれていない場合は前記ネットワーク対応ユーザー機器が前記コンテンツのユーザー知覚可能な形式を生成することを禁止し、
前記暗号化されたライセンスを復号化して前記暗号化されたライセンス中の前記アクセス情報と前記暗号鍵とを、前記メディアプレーヤーとセキュリティ技術とによってアクセスできるようにし、前記メディアプレーヤーおよびセキュリティ技術は、前記ネットワーク対応ユーザー機器の特定のメディアプレーヤーを制御して前記選択および暗号化されたコンテンツのユーザー知覚可能な形式を生成する、方法。
【請求項４１】  前記メディアプレーヤーおよびセキュリティ技術は、前記コンテンツをユーザー知覚可能な形式で表示するためのメディアプレーヤーを含む、請求項４０に記載の方法。
【請求項４２】  前記メディアプレーヤーおよびセキュリティ技術はさらに、暗号化コンテンツを復号する少なくとも１個の復号コードと、圧縮されたコンテンツを復元するためのコーデックと、前記メディアプレーヤーをユーザーに表示するモニターと、前記メディアプレーヤーと前記モニターの間のハードウェアインターフェースを含む、請求項４１に記載の方法。
【請求項４３】  前記メディアプレーヤーおよびセキュリティ技術はさらに、前記復号コード、前記コーデック、前記メディアプレーヤー、前記ハードウェアインターフェース、および前記モニターの間で安全なプロセス間通信データストリームを提供するためのデジタル権利管理コードを含む、請求項４２に記載の方法。
【請求項４４】  前記メディアプレーヤーおよびセキュリティ技術はさらに、前記デジタル権利管理コードと通信している保護データベースを含み、前記保護データベースは転送されたライセンスを安全に保存する、請求項４３に記載の方法。
【請求項４５】  前記保護データベースは暗号化方法により保護されている、請求項４４に記載の方法。
【請求項４６】  前記デジタル権利管理コードはルート鍵を含み、前記ルート鍵は保護データベース内のライセンスを開放する、請求項４４に記載の方法。
【請求項４７】  前記デジタル権利管理コードは開放済みライセンス内のアクセス情報を調べて、開放済みライセンスにより提供されるコンテンツへのアクセス権利を決定する、請求項４６に記載の方法。
【請求項４８】  前記アクセス情報は、コンテンツ・レンタルモデル、ライセンスの有効期限、ネットワーク対応ユーザー機器識別情報、メディアプレーヤー識別情報、特定のコンテンツを識別するＧＵＩＤ、および前記暗号化コンテンツを復号するための暗号化鍵の少なくとも１個を含む、請求項４１に記載の方法。
【請求項４９】  前記デジタル権利管理コードは、前記開放済みライセンスに含まれるコンテンツ・レンタルモデルをユーザーに遵守させることにより前記コンテンツが適切にライセンス供与されている場合にのみ前記ネットワーク対応ユーザー機器が前記コンテンツのユーザー知覚可能な形式を生成することを許す、請求項４８に記載の方法。
【請求項５０】  前記デジタル権利管理コードは、前記開放済みライセンス内の前記ネットワーク対応ユーザー機器識別情報と、前記デジタル権利管理コードが存在する前記ネットワーク対応ユーザー機器とを比較して、前記コンテンツが適切にライセンス供与されている場合にのみ前記ネットワーク対応ユーザー機器が前記コンテンツのユーザー知覚可能な形式を生成することを許す、請求項４８に記載の方法。
【請求項５１】  前記デジタル権利管理コードは、前記開放済みライセンス内の前記メディアプレーヤー識別情報と、前記ネットワーク対応ユーザー機器上に存在する前記メディアプレーヤーとを比較して、前記コンテンツが適切にライセンス供与されている場合にのみ前記ネットワーク対応ユーザー機器が前記コンテンツのユーザー知覚可能な形式を生成することを許す、請求項４８に記載の方法。
【請求項５２】  前記デジタル権利管理コードは、前記暗号化コンテンツを復号するために前記開放済みライセンスに含まれる暗号化鍵を前記復号コードに渡す、請求項４８に記載の方法。
【請求項５３】  前記選択および暗号化されたライセンスが、前記特定のネットワーク対応ユーザー機器とその中の前記特定のメディアプレーヤーとにおいて前記ユーザー知覚可能な形式の前記選択および暗号化されたコンテンツを有効にするように設定されるように、前記暗号化されたコンテンツに関連付けられた前記暗号化されたライセンスはさらに前記特定のネットワーク対応ユーザー機器と前記特定のメディアプレーヤーとに関連付けられる、請求項４０に記載の方法。